(57)【要約】      （修正有） 【課題】紙、古紙等を原材料とすることで不要になった後に回収して焼却しても有害物質の発生する恐れがなく、また、そのまま地中に埋めて処分しても生分解され大地を汚染することがない墓地用花立て器を提供する。【解決手段】上端には外方に突出するラッパ状の鍔部２ｅを設けるとともに開口部２ｂを設け、内部には中空部２ｄを形成し、前記中空部２ｄの内壁面は平坦に形成するとともに外周面には全面に凹凸が施し、上部の径が大きく下部方向にかけて径が小さくなるように形成した略円錐状の上筒部２の本体２ａと、内部には中空部３ｂを設け、外周面には全面に凹凸が施し、上部の径が最も大きく下部方向にかけて径は小さく形成し、下端は球体状に形成した略円錐状の下筒部３の本体３ａとからなり、前記上筒部２の本体２ａの下端に段差部２ｃを設けて前記下筒部３の本体３ａを連設し古紙製としたことを特徴とする墓地用花立て器１の構成とした。【選択図】図１
0003114018.tif 000002
【実用新案登録請求の範囲】
【請求項１】
上端には外方に突出するラッパ状の鍔部を設けるとともに開口部を設け、内部には中空部を形成し、前記中空部の内壁面は平坦に形成するとともに外周面には全面に凹凸が施し、上部の径が大きく下部方向にかけて径が小さくなるように形成した略円錐状の上筒部の本体と、内部には中空部を設け、外周面には全面に凹凸が施し、上部の径が最も大きく下部方向にかけて径は小さく形成し、下端は球体状に形成した略円錐状の下筒部の本体とからなり、前記上筒部の本体の下端に段差部を設けて前記下筒部の本体を連設し古紙製としたことを特徴とする墓地用花立て器。
【請求項２】
上端には開口部を設け、内部には中空部を形成し、前記中空部の内壁面には凹凸を施し、外周面は平坦に形成するとともに装飾凸部を形成し、上部の径が大きく下部方向にかけて径が小さくなるように形成した略円錐状の上筒部の本体と、内部には中空部を設け、外周面は平坦に形成するとともに内壁面には凹凸を施し、上部の径が最も大きく下部方向にかけて径は小さく形成し、下端は球体状に形成した略円錐状の下筒部の本体とからなり、前記上筒部の本体の下端に段差部を設けて前記下筒部の本体を連設し古紙製としたことを特徴とする墓地用花立て器。
【請求項３】
上端には開口部を設け、内部には中空部を形成し、前記中空部の内壁面は平坦に形成するとともに外周面には全面に凹凸が施し、上部の径が大きく下部方向にかけて径が小さくなるように形成した略円錐状の上筒部の本体と、内部には中空部を設け、外周面には全面に凹凸が施し、上部の径が最も大きく下部方向にかけて径は小さく形成し、下端は球体状に形成した略円錐状の下筒部の本とからなり、前記上筒部の本体の下端に段差部を設けて前記下筒部の本体を連設し古紙製としたことを特徴とする墓地用花立て器。
【請求項４】
上リングを支持棒の上端に設けるとともに前記上リングの径のほぼ二分の一の径の下リングを前記上リングから一定の距離をおいて前記支持棒に取り付けたことを特徴とする墓地用花立て器支持具。
【請求項５】
請求項２に記載の墓地用花立て器と、請求項４に記載の墓地用花立て器支持具とからなり
、前記墓地用花立て器の上下筒部の本体を前記墓地用花立て器支持具の上下リングに差し込んだことを特徴とする墓地用花立て器。
【請求項６】
左水平枠、前記左水平枠から垂直に下方に伸びる前後垂直枠及び前記前後垂直枠から延長し先端に折返し部を有する前後延長枠からなり、前記前後垂直枠間に左支持棒を取り付けた左枠体と、右水平枠、前記右水平枠から垂直に下方に伸びる前後垂直枠及び前記前後垂直枠から延長し先端に折返し部を有する前後延長枠からなり、前記前後垂直枠間に右支持棒を取り付けた右枠体と、前支持棒と後支持棒間に上リングを取り付けて左枠体の左水平枠と右枠体と右水平枠間に取り付けた上枠体と、前支持棒と後支持棒間に前記上リングより径の小さい下リングを取り付けて左枠体の左支持棒と右枠体の右支持棒間に取り付けた下枠体とからなることを特徴とする墓地用花立て器支持具。
【請求項７】
請求項２に記載の墓地用花立て器と、請求項６に記載の墓地用花立て器支持具とからなり、前記墓地用花立て器の上下筒部の本体を前記墓地用花立て器支持具の上下リングに差し込んだことを特徴とする墓地用花立て器。
【考案の詳細な説明】
【技術分野】
【０００１】
本考案は、お彼岸、お盆、命日等にお墓や仏前に花を手向ける時に使用する墓地用花立て器に関するものである。
【背景技術】
【０００２】
従来、墓地用花立て器には、プラスチック製の花立て器やビニール製の花立て器が多く利用され、主流となっている。
【０００３】
しかしながら、従来のプラスチック製又はビニール製の墓地用花立て器は、回収して処分する際、焼却しなければならず、この焼却においては有害物質が発生し大気汚染の原因となる恐れがあった。
【特許文献１】特開２００１−１０７６０３号公報
【考案の開示】
【考案が解決しようとする課題】
【０００４】
そこで、本発明は、紙、古紙等を原材料とすることで不要になった後に回収して焼却しても有害物質の発生する恐れがなく、また、そのまま地中に埋めて処分しても生分解され大地を汚染することがない墓地用花立て器を提供することを目的とするものである。
【課題を解決するための手段】
【０００５】
本発明は、上記の課題を解決するために、上端には外方に突出するラッパ状の鍔部２ｅを設けるとともに開口部２ｂを設け、内部には中空部２ｄを形成し、前記中空部２ｄの内壁面は平坦に形成するとともに外周面には全面に凹凸が施し、上部の径が大きく下部方向にかけて径が小さくなるように形成した略円錐状の上筒部２の本体２ａと、内部には中空部３ｂを設け、外周面には全面に凹凸が施し、上部の径が最も大きく下部方向にかけて径は小さく形成し、下端は球体状に形成した略円錐状の下筒部３の本体３ａとからなり、前記上筒部２の本体２ａの下端に段差部２ｃを設けて前記下筒部３の本体３ａを連設し古紙製としたことを特徴とする墓地用花立て器１の構成、
上端には開口部４ｂを設け、内部には中空部４ｅを形成し、前記中空部４ｅの内壁面には凹凸を施し、外周面は平坦に形成するとともに装飾凸部４ｃを形成し、上部の径が大きく下部方向にかけて径が小さくなるように形成した略円錐状の上筒部４の本体４ａと、内部には中空部５ｂを設け、外周面は平坦に形成するとともに内壁面には凹凸を施し、上部の径が最も大きく下部方向にかけて径は小さく形成し、下端は球体状に形成した略円錐状の下筒部５の本体５ａとからなり、前記上筒部４の本体４ａの下端に段差部４ｄを設けて前記下筒部５の本体５ａを連設し古紙製としたことを特徴とする墓地用花立て器１ａの構成、
上端には開口部７ｂを設け、内部には中空部７ｄを形成し、前記中空部７ｄの内壁面は平坦に形成するとともに外周面には全面に凹凸が施し、上部の径が大きく下部方向にかけて径が小さくなるように形成した略円錐状の上筒部７の本体７ａと、内部には中空部８ｂを設け、外周面には全面に凹凸が施し、上部の径が最も大きく下部方向にかけて径は小さく形成し、下端は球体状に形成した略円錐状の下筒部８の本体８ａとからなり、前記上筒部７の本体７ａの下端に段差部７ｃを設けて前記下筒部８の本体８ａを連設し古紙製としたことを特徴とする墓地用花立て器１ｂの構成、
上リング９ａを支持棒９ｃの上端に設けるとともに前記上リング９ａの径のほぼ二分の一の径の下リング９ｂを前記上リング９ａから一定の距離をおいて前記支持棒９ｃに取り付けたことを特徴とする墓地用花立て器支持具９の構成、
墓地用花立て器１ａと、上リング９ａを支持棒９ｃの上端に設けるとともに前記上リング９ａの径のほぼ二分の一の径の下リング９ｂを前記上リング９ａから一定の距離をおいて前記支持棒９ｃに取り付けた墓地用花立て器支持具９とからなり、前記墓地用花立て器１の上下筒部４、５の本体４ａ、５ａを前記上下リング９ａ、９ｂに差し込んだことを特徴とする墓地用花立て器の構成、
左水平枠１０ｊ、前記左水平枠１０ｊから垂直に下方に伸びる前後垂直枠１０ｈ、１０ｉ及び前記前後垂直枠１０ｈ、１０ｉから延長し先端に折返し部１０ｇ、１０ｇを有する前後延長枠１０ｏ、１０ｎからなり、前記前後垂直枠１０ｈ、１０ｉ間に左支持棒１０ｅを取り付けた左枠体１０ａと、右水平枠１０ｍ、前記右水平枠１０ｍから垂直に下方に伸びる前後垂直枠１０ｋ、１０ｌ及び前記前後垂直枠１０ｋ、１０ｌから延長し先端に折返し部１０ｇ、１０ｇを有する前後延長枠１０ｐ、１０ｑからなり、前記前後垂直枠１０ｋ、１０ｌ間に右支持棒１０ｆを取り付けた右枠体１０ｂと、前支持棒１１と後支持棒１１ａ間に上リング１１ｂを取り付けて左枠体１０ａの左水平枠１０ｊと右枠体１０ｂと右水平枠１０ｍ間に取り付けた上枠体１０ｃと、前支持棒１２と後支持棒１２ａ間に前記上リング１１ｂより径の小さい下リング１２ｂを取り付けて左枠体１０ａの左支持棒１０ｅと右枠体１０ｂの右支持棒１０ｆ間に取り付けた下枠体１０ｄとからなることを特徴とする墓地用花立て器支持具１０の構成及び
墓地用花立て器１ａと、墓地用花立て器支持具１０とからなり、前記墓地用花立て器１ａの上下筒部４、５の本体４ａ、５ａを前記上下リング１１ｂ、１２ｂに差し込んだことを特徴とする墓地用花立て器の構成とした。
【考案の効果】
【０００６】
本考案の墓地用花立て器は、古紙等を原料としているため不要になった後、焼却処分をしても有害物質を発生させることがなく、大気汚染の心配がない。
【０００７】
また、焼却せずに地中に埋めて処分しても地中で生分解されて大地を汚染することがなく、環境に優しい。
【０００８】
更に、原料が何度でも再利用可能な紙であるため、新たに資源を利用するのではなく、既存の不要になった紙で作ることができ、森林の保護に繋がる。
【考案を実施するための最良の形態】
【０００９】
焼却処分の際に有害物質を発生させず低環境負荷で、地中に埋めて処分しても生分解され地中を汚染することがなく、新たに本考案である墓地用花立て器を製造するための資源を必要とせず、何度でも再利用可能な墓地用花立て器という目的を古紙を再利用することによって実現した。勿論、古紙の代わりに新しい紙を原材料に使用しても良い。
【実施例１】
【００１０】
図１は本考案である墓地用花立て器の正面図、図２は本考案である墓地用花立て器のＡ−Ａ線に沿った断面図、図３は本考案である墓地用花立て器の平面図である。図１から図３に示すように、本考案である墓地用花立て器１は、上筒部２と下筒部３とからなる。
【００１１】
図１に示すように、上筒部２は、外方に突出するラッパ状の鍔部２ｅと内部が中空に形成されている中空部２ｄで略円錐状に形成した本体２ａとからなる。上筒部２の本体２ａの上端には最も径の大きい箇所に開口部２ｂが形成されている。下部方向、即ち、下筒部３方向にかけて上筒部２の本体２ａの径が小さくなるように形成する。そして、本体２ａの外周面の全面に凹凸が施されている。
【００１２】
図１に示すように、上筒部２の本体２ａに連設されている下筒部３の本体３ａは、内部は中空に形成されていて中空部３ｂがあり、略円錐状である。本体３ａは、上部の径が下部の径よりも大きい。下筒部３の本体３ａの上端部の径が最も大きく、下部の方向にかけて径は小さくなる。本体３ａの下端は、球体状に形成されている。上筒部２の本体２ａに下筒部３の本体３ａが連設されている箇所には段差部２ｃが形成されている。図２に示すように、上筒部２の中空部２ｄと下筒部３の中空部３ｂは、仕切りがなく連通している。
【００１３】
下筒部３の本体３ａの外周面も上筒部２の本体２ａと同様に細かな凹凸が全体に施されているが、本体３ａの下端は、球体形状に形成されている。
【００１４】
図２及び図３に示すように、上下筒部２、３の本体２ａ、３ａの内壁面は、前述の外周面と違って凹凸がなく平坦である。また、上筒部２の本体２ａは、上端に行くに従って径が大きく、最上端には外方に突出するように鍔部２ｅが形成されている。鍔部２ｅは、ラッパ状に設けてある。符号２ｂは、開口部２ｂである。
【００１５】
上筒部２及び下筒部３とからなる墓地用花立て器１は、古紙の溶液を型に入れ、圧縮及び乾燥し、更に上筒部２及び下筒部３には防水加工が施されていて成型され、屋外であっても変形することなく長時間使用できる。本例の墓地用花立て器１は、古紙製である。
【実施例２】
【００１６】
図４は本考案である墓地用花立て器の第２実施例の正面図、図５は本考案である墓地用花立て器の第２実施例のＢ−Ｂ線に沿った断面図、図６は本考案である墓地用花立て器の第２実施例の使用状態を示した図である。図４及び図５に示すように、本考案である墓地用花立て器１ａは、上筒部４と下筒部５とからなる。
【００１７】
上筒部４は、略円柱状で内部が中空に形成されていて中空部４ｅがあり、円筒状をした本体４ａからなる。上筒部４の本体４ａの上端の開口部４ｂの径が最も大きく、上筒部４から下部に行くに従って径が小さく形成されている。本体４ａの外周面は、全体として平坦に形成されている。図４及び図５に示すように、上筒部４の外周面の一箇所に長方形状の装飾凸部４ｃがあり、筒状の花瓶に花が生けられている。
【００１８】
尚、装飾凸部４ｃは設けなくても良い。また、装飾凸部４ｃは筒に生けられた花に限定されているものではなく、使用場所に相応しい各種の装飾凸部としても良い。上筒部の本体４ａの上部は径が大きく、下方に行くに従って径が小さい。同様に下筒部５の本体５ａの上部は径が大きく下方に行くに従って径が小さい。
【００１９】
上筒部４の下端に連設されている下筒部５は、内部が中空で中空部５ｂが形成されていて、略円錐形状をした本体５ａである。上筒部４の本体４ａに下筒部５の本体５ａが連設されている箇所には段差部４ｄが形成されている。上筒部４の本体４ａの中空部２ｄと下筒部５の中空部５ｂは、仕切りがなく連通している。
【００２０】
下筒部５の本体５ａの外周面は平坦で凹凸がなく、下筒部５の本体５ａの下端は球体状に形成されている。図５に示すように、上筒部４及び下筒部５の本体４ａ、５ａの内壁面には、細かな凹凸が全体に施されている。
【００２１】
図６に示すように、墓地用花立て器１ａの形状が上端に向かって広がった略円錐状をしているため生けやすく、花を生けた際に花が広がるよう生けることができる。尚、符号６は供花を示している。
【００２２】
墓地用花立て器１ａは、古紙の溶液を型に入れ、バキューム圧縮及び乾燥し、更に防水加工が施して成型され、防水加工が施されているため、屋外であっても長持ちし長時間使用することができる。
【実施例３】
【００２３】
図７は、本考案である墓地用花立て器の第３実施例の正面図である。図７に示すように、本考案である墓地用花立て器１ｂは、上筒部７の本体７ａと下筒部８の本体８ａとからなり、墓地用花立て器１と似た形状構造である。
【００２４】
上筒部７の本体７ａは、略円柱状で内部が中空で中空部７ｄが形成されている。上筒部７の本体７ａは、上部が径が大きく下部に行くに従って径が小さい。本体７ａの上端には開口部７ｂが形成されていて、本体７ａの外周面には細かな凹凸が多数施されている。即ち、実施例１の上筒部２の本体２ａの構造と似ていて、違う点は、本例の考案である墓地用花立て器１ｂでは、本体７ａの上端に鍔部が形成されていない点である。
【００２５】
上筒部７の本体７ａに連設されている下筒部８の本体８ａは、内部が中空で中空部８ｂが形成されていて略円錐状をした本体８ａであり、外周面には細かな凹凸が多数施されている。即ち、実施例１の下筒部３の本体３ａと同様である。上筒部７の本体７ａの下端に下筒部８の本体８ａが連設されていて連設箇所には段差部７ｃが形成されている。
【００２６】
下筒部８の本体８ａは、上部が径が大きく下部に行くに従って径が小さい。上下筒部７、８の本体７ａ、８ａの内部は、中空に形成されていて本体７ａの中空部７ｄと下筒部８の本体８ａ内に形成されている中空部８ｂは連通している。
【００２７】
また、上下筒部７、８の本体７ａ、８ａの内部に形成されている中空部７ｄ、８ｂの内壁面は、実施例１の上下筒部２、３の本体２ａ、３ａと同様に平坦に形成されていて凹凸がない。
【実施例４】
【００２８】
図８は、本考案である墓地用花立て器の第４実施例の斜視図である。図８に示すように、本考案である墓地用花立て器１ｃは、上筒部４の本体４ａと下筒部５の本体５ａからなる墓地用花立て器１ａと墓地用花立て器支持具９とからなる。本例の墓地用花立て器１ｃを構成する墓地用花立て器１ａは、図４〜図６に説明した墓地用花立て器１と同一構造である。
【００２９】
即ち、上筒部４は、略円柱状で内部が中空に形成されていて中空部４ｅがあり、円筒状をした本体４ａからなる。上筒部４の本体４ａの上端の開口部４ｂの径が最も大きく、上筒部４から下部に行くに従って径が小さく形成されている。本体４ａの外周面は、全体として平坦に形成されている。図４及び図５に示すように、上筒部４の外周面の一箇所に長方形状の装飾凸部４ｃがあり、筒状の花瓶に花が生けられている。
【００３０】
尚、装飾凸部４ｃは設けなくても良い。また、装飾凸部４ｃは筒に生けられた花に限定されているものではなく、使用場所に相応しい各種の装飾凸部としても良い。上筒部の本体４ａの上部は径が大きく、下方に行くに従って径が小さい。同様に下筒部５の本体５ａの上部は径が大きく下方に行くに従って径が小さい。
【００３１】
上筒部４の下端に連設されている下筒部５は、内部が中空で中空部５ｂが形成されていて、略円錐形状をした本体５ａである。上筒部４の本体４ａに下筒部５の本体５ａが連設されている箇所には段差部４ｄが形成されている。上筒部４の本体４ａの中空部２ｄと下筒部５の中空部５ｂは、仕切りがなく連通している。
【００３２】
下筒部５の本体５ａの外周面は平坦で凹凸がなく、下筒部５の本体５ａの下端は球体状に形成されている。図５に示すように、上筒部４及び下筒部５の本体４ａ、５ａの内壁面には、細かな凹凸が全体に施されている。
【００３３】
図６に示すように、墓地用花立て器１ａの形状が上端に向かって広がった略円錐状をしているため生けやすく、花を生けた際に花が広がるよう生けることができる。尚、符号６は供花を示している。
【００３４】
墓地用花立て器１ａは、古紙の溶液を型に入れ、バキューム圧縮及び乾燥し、更に防水加工が施して成型され、防水加工が施されているため、屋外であっても長持ちし長時間使用することができる。
【００３５】
図８に示すように、墓地用花立て器支持具９の上リング９ａのリング内には上筒部４の本体４ａが収まり、下リング９ｂのリング内には下筒部５の本体５ａが収まるように花立て器が嵌入され支持される。これにより、例えば、墓地用花立て器自体を直接地中に埋め込まずに、支持棒９ｃの下筒部分だけを地中に埋めて使用すれば、墓地用花立て器を汚すことがなく長期的に使用することができる。
【００３６】
また、墓地用花立て器支持具９が鉄のような細く頑丈な部材でできているため、地中に容易に差し込むことができ、墓地用花立て器自体を地中に埋め込むよりも短時間でしっかりと設置することができる。
【００３７】
また、墓地用花立て器１、１ａ、１ｂを古紙の紙原料をバキューム吸着させて成型するモウルド製法により成型してもよく、紙密度が薄く仕上がるので、通気性が良く筒内の水の蒸発が促進され、水の蒸発に比例して水の気化熱で筒内の水温が低くなる。周囲の気温が高くなる程蒸発が早く水温が下がり、これにより雑菌の繁殖が弱く花が長持ちする。
この墓地用花立て器支持具９には、図１、図７に示した墓地用花立て器１、１ｂを差し込んで使用してもよい。
【実施例５】
【００３８】
図９は、本考案である墓地用花立て器支持具の斜視図である。図９に示すように、墓地用花立て器支持具９は、上リング９ａ及び下リング９ｂと上下リング９ａ、９ｂを連結する支持棒９ｃとからなり、下リング９ｂの径は、上リング９ａの径よりも小さい。また、上リング９ａは、支持棒９ｃの上端に設け、下リング９ｂは上リング９ａから一定の間隔を設けて取り付ける。下リング９ｂの径は、上リング９ａの径のほぼ二分の一の径が好ましい。
【実施例６】
【００３９】
図１０は、本考案である墓地用花立て器の第６実施例を示し、墓地用花立て器支持具を有する墓地用花立て器の墓地用花立て器支持具の斜視図である。図１０に示すように、墓地用花立て器支持具１０は、左支持棒１０ｅを有する左枠体１０ａと、右支持棒１０ｆを有する右枠体１０ｂと、左枠体１０ａと右枠体１０ｂ間に取り付けた上枠体１０ｃと、左枠体１０ａと右枠体１０ｂ間に取り付けた下枠体１０ｄとからなる。
【００４０】
左枠体１０ａは、略コ字状に形成された枠体で、水平枠１０ｊと水平枠１０ｊの前後から下方に垂直に伸びる前後垂直枠１０ｈ、１０ｉと前後垂直枠１０ｈ、１０ｉから延長する前後延長枠１０ｎ、１０ｏからなる。前後垂直枠１０ｈ、１０ｉから延長する前後延長枠１０ｎ、１０ｏがあり、この前後延長枠１０ｎ、１０ｏは外方にそれぞれ向かって広がっている。そして、前後延長枠１０ｎ、１０ｏの先端は折り返されて折返し部１０ｇがある。前垂直枠１０ｈの下部と後垂直枠１０ｉ下部間には左支持棒１０ｅが取り付けられている。これは、左枠体１０ａの強度を上げるためである。
【００４１】
右枠体１０ｂは、左枠体１０ａと同形同大である。即ち、右枠体１０ｂは、略コ字状に形成された枠体で下方に垂直に伸びる前後垂直枠１０ｋ、１０ｌと前後垂直枠１０ｋ、１０ｌから延長する前後延長枠１０ｐ、１０ｑからなる。前後垂直枠１０ｋ、１０ｌから延長する前後延長枠１０ｐ、１０ｑがあり、この前後延長枠１０ｐ、１０ｑは外方にそれぞれ広がっている。そして、前後延長枠１０ｐ、１０ｑの先端は折り返されて折返し部１０ｇがある。前垂直枠１０ｋの下部と後垂直枠１０ｌの下部間には右支持棒１０ｆが取り付けられている。これは、右枠体１０ｂの強度を上げるためである。
【００４２】
上枠体１０ｃは、同形同大の前後支持棒１１、１１ａと上リング１１ｂとからなり、平行に配置した前支持棒１１と後支持棒１１ａ間の中央部に上リング１１ｂが取り付けてある。
【００４３】
下枠体１０ｄは、上枠体１０ｃとほぼ同じ形状をしている。即ち、同形同大の前後支持棒１２、１２ａと下リング１２ｂとからなり、平行に配置した前支持棒１２と後支持棒１２ａ間の中央部に下リング１２ｂを取り付けてある。
【００４４】
上リング１１ｂと下リング１２ｂの径は異なっている。  上リング１１ｂの径は、下リング１２ｂ径より大きい。そのために、上枠体１０ｃの前支持棒１１と後支持棒１１ａ間の間隔幅と、下枠体１０ｄの前支持棒１２と後支持棒１２ａ間の間隔幅とでは、径の小さい下リング１２ｂを使用している下枠体１０ｄの前支持棒１２と後支持棒１２ａ間の間隔幅の方が狭い。
【００４５】
左枠体１０ａの水平枠１０ｊと右枠体１０ｂの右水平枠１０ｍのほぼ中央部に上枠体１０ｃを取り付ける。また、下枠体１０ｄは、左支持棒１０ｅと右支持棒１０ｆ間の中央部に取り付ける。このように取り付けることにより、上枠体１０ｃの上リング１１ｂと下枠体１０ｄの下リング１２ｂの中心はほぼ同位置になる。
【実施例７】
【００４６】
図１１は、本考案である墓地用花立て器の第７実施例を示し、墓地用花立て器支持具を有する墓地用花立て器の斜視図である。図１１に示すように、上下枠体１０ｃ、１０ｄの中央部に取り付けられている上リング１１ｂと下リング１２ｂの中心の位置が同位置にあるので、墓地用花立て器１ａの上下筒部４、５の本体４ａ、５ａを上下リング１１ｂ、１２ｂに上から差し込むと、墓地用花立て器１ａは真っ直ぐな垂直状態に係止される。墓地用花立て器４は、図４に示した墓地用花立て器１ａである。勿論、墓地用花立て器は、図１及び図７に示した墓地用花立て器１、１ｂであっても良い。
【産業上の利用可能性】
【００４７】
防水加工をしているため屋内でも屋外でも使用でき、また紙製であるため、壁掛け用に孔を開けることも容易にでき、更に彩色加工なども簡単で墓地だけに限らず、いろいろな場所で使用することができる。
【図面の簡単な説明】
【００４８】
【図１】本考案である墓地用花立て器の第１実施例の正面図である。
【図２】本考案である墓地用花立て器の第１実施例の図１中のＡ−Ａ線に沿った断面図である。
【図３】本考案である墓地用花立て器の第１実施例の平面図である。
【図４】本考案である墓地用花立て器の第２実施例の正面図である。
【図５】本考案である墓地用花立て器の第２実施例の図４中のＢ−Ｂ線に沿った断面図である。
【図６】本考案である墓地用花立て器の第２実施例の使用状態を示した図である。
【図７】本考案である墓地用花立て器の第３実施例の正面図である。
【図８】本考案である墓地用花立て器の第４実施例の斜視図である。
【図９】本考案である墓地用花立て器支持具の斜視図である。
【図１０】本考案である墓地用花立て器支持具の斜視図である。
【図１１】本考案である墓地用花立て器支持具を使用した状態を示した斜視図である。
【符号の説明】
【００４９】
１    墓地用花立て器
１ａ  墓地用花立て器
１ｂ  墓地用花立て器
１ｃ  墓地用花立て器
２    上筒部
２ａ  本体
２ｂ  開口部
２ｃ  段差部
２ｄ  中空部
２ｅ  鍔部
３    下筒部
３ａ  本体
３ｂ  中空部
４    上筒部
４ａ  本体
４ｂ  開口部
４ｃ  装飾凸部
４ｄ  段差部
４ｅ  中空部
５    下筒部
５ａ  本体
５ｂ  中空部
６    供花
７    上筒部
７ａ  本体
７ｂ  開口部
７ｃ  段差部
７ｄ  中空部
８    下筒部
８ａ  本体
８ｂ  中空部
９    墓地用花立て器支持具
９ａ  上リング
９ｂ  下リング
９ｃ  支持棒
１０    墓地用花立て器支持具
１０ａ  左枠体
１０ｂ  右枠体
１０ｃ  上枠体
１０ｄ  下枠体
１０ｅ  左支持棒
１０ｆ  右支持棒
１０ｇ  折返し部
１０ｈ  前垂直枠
１０ｉ  後垂直枠
１０ｊ  左水平枠
１０ｋ  前垂直枠
１０ｌ  後垂直枠
１０ｍ  右水平枠
１０ｎ  前延長枠
１０ｏ  後延長枠
１０ｐ  前延長枠
１０ｑ  後延長枠
１１    前支持棒
１１ａ  後支持棒
１１ｂ  上リング
１２    前支持棒
１２ａ  後支持棒
１２ｂ  下リング
【図１】
0003114018.tif 000003
【図２】
0003114018.tif 000004
【図３】
0003114018.tif 000005
【図４】
0003114018.tif 000006
【図５】
0003114018.tif 000007
【図６】
0003114018.tif 000008
【図７】
0003114018.tif 000009
【図８】
0003114018.tif 000010
【図９】
0003114018.tif 000011
【図１０】
0003114018.tif 000012
【図１１】
0003114018.tif 000013
【手続補正書】
【提出日】平成17年6月29日(2005.6.29)
【手続補正１】
【補正対象書類名】実用新案登録請求の範囲
【補正対象項目名】全文
【補正方法】変更
【補正の内容】
【実用新案登録請求の範囲】
【請求項１】
上端には外方に突出するラッパ状の鍔部を設けるとともに開口部を設け、内部には中空部を形成し、前記中空部の内壁面は平坦に形成するとともに外周面には全面に凹凸が施し、上部の径が大きく下部方向にかけて径が小さくなるように形成した略円錐状の上筒部の本体と、内部には中空部を設け、外周面には全面に凹凸が施し、上部の径が最も大きく下部方向にかけて径は小さく形成し、下端は球体状に形成した略円錐状の下筒部の本体とからなり、前記上筒部の本体の下端に段差部を設けて前記下筒部の本体を連設し古紙製としたことを特徴とする墓地用花立て器。
【請求項２】
上端には開口部を設け、内部には中空部を形成し、前記中空部の内壁面には凹凸を施し、外周面は平坦に形成するとともに装飾凸部を形成し、上部の径が大きく下部方向にかけて径が小さくなるように形成した略円錐状の上筒部の本体と、内部には中空部を設け、外周面は平坦に形成するとともに内壁面には凹凸を施し、上部の径が最も大きく下部方向にかけて径は小さく形成し、下端は球体状に形成した略円錐状の下筒部の本体とからなり、前記上筒部の本体の下端に段差部を設けて前記下筒部の本体を連設し古紙製としたことを特徴とする墓地用花立て器。
【請求項３】
上端には開口部を設け、内部には中空部を形成し、前記中空部の内壁面は平坦に形成するとともに外周面には全面に凹凸が施し、上部の径が大きく下部方向にかけて径が小さくなるように形成した略円錐状の上筒部の本体と、内部には中空部を設け、外周面には全面に凹凸が施し、上部の径が最も大きく下部方向にかけて径は小さく形成し、下端は球体状に形成した略円錐状の下筒部の本とからなり、前記上筒部の本体の下端に段差部を設けて前記下筒部の本体を連設し古紙製としたことを特徴とする墓地用花立て器。
【請求項４】
請求項２に記載の墓地用花立て器と、上リングを支持棒の上端に設けるとともに前記上リングの径のほぼ二分の一の径の下リングを前記上リングから一定の距離をおいて前記支持棒に取り付けた墓地用花立て器支持具とからなり、
前記墓地用花立て器を前記墓地用花立て器支持具の上下リングに差し込んだことを特徴とする墓地用花立て器。
【請求項５】
請求項１に記載の墓地用花立て器と、
左水平枠、前記左水平枠から垂直に下方に伸びる前後垂直枠及び前記前後垂直枠から延長し先端に折返し部を有する前後延長枠からなり、前記前後垂直枠間に左支持棒を取り付けた左枠体と、右水平枠、前記右水平枠から垂直に下方に伸びる前後垂直枠及び前記前後垂直枠から延長し先端に折返し部を有する前後延長枠からなり、前記前後垂直枠間に右支持棒を取り付けた右枠体と、前支持棒と後支持棒間に上リングを取り付けて左枠体の左水平枠と右枠体と右水平枠間に取り付けた上枠体と、前支持棒と後支持棒間に前記上リングより径の小さい下リングを取り付けて左枠体の左支持棒と右枠体の右支持棒間に取り付けた下枠体とからなる墓地用花立て器支持具とからなり、
前記墓地用花立て器を前記墓地用花立て器支持具の上下リングに差し込んだことを特徴とする墓地用花立て器。
【請求項６】
請求項３に記載の墓地用花立て器と、
左水平枠、前記左水平枠から垂直に下方に伸びる前後垂直枠及び前記前後垂直枠から延長し先端に折返し部を有する前後延長枠からなり、前記前後垂直枠間に左支持棒を取り付けた左枠体と、右水平枠、前記右水平枠から垂直に下方に伸びる前後垂直枠及び前記前後垂直枠から延長し先端に折返し部を有する前後延長枠からなり、前記前後垂直枠間に右支持棒を取り付けた右枠体と、前支持棒と後支持棒間に上リングを取り付けて左枠体の左水平枠と右枠体と右水平枠間に取り付けた上枠体と、前支持棒と後支持棒間に前記上リングより径の小さい下リングを取り付けて左枠体の左支持棒と右枠体の右支持棒間に取り付けた下枠体とからなる墓地用花立て器支持具とからなり、
前記墓地用花立て器を前記墓地用花立て器支持具の上下リングに差し込んだことを特徴とする墓地用花立て器。
【手続補正２】
【補正対象書類名】明細書
【補正対象項目名】０００５
【補正方法】変更
【補正の内容】
【０００５】
本考案は、上記の課題を解決するために、上端には外方に突出するラッパ状の鍔部を設けるとともに開口部を設け、内部には中空部を形成し、前記中空部の内壁面は平坦に形成するとともに外周面には全面に凹凸が施し、上部の径が大きく下部方向にかけて径が小さくなるように形成した略円錐状の上筒部の本体と、内部には中空部を設け、外周面には全面に凹凸が施し、上部の径が最も大きく下部方向にかけて径は小さく形成し、下端は球体状に形成した略円錐状の下筒部の本体とからなり、前記上筒部の本体の下端に段差部を設けて前記下筒部の本体を連設し古紙製としたことを特徴とする墓地用花立て器の構成とした。